(57)【要約】【課題】本発明は、単一の筺体構成で、瞬間的なストロボ光に加えて被写体照明用の照明光をも併せて照射でき、又は、瞬間的なストロボ光に替えて被写体照明用の照明光のみを照射できるストロボ装置を提供する。【解決手段】本発明のストロボ装置１は、カメラ１０のアクセサリーシューに取り付けられるストロボ光発光用のストロボ本体２と、このストロボ本体２の下部に挿入、引き出し可能に収納するとともに、引き出し状態から下方に回動させて照明光を発光する発光面１１ａを被写体に対向させるＬＥＤパネル１１とを有するものである。【選択図】図１
2010145760.tif 000002
【特許請求の範囲】
【請求項１】
カメラのアクセサリーシューに取り付けられるストロボ光発光用のストロボ本体と、
このストロボ本体に搭載した照明光を発光するＬＥＤパネルと、
を有することを特徴とするストロボ装置。
【請求項２】
カメラのアクセサリーシューに取り付けられるストロボ光発光用のストロボ本体と、
このストロボ本体の下部に挿入、引き出し可能に収納するとともに、引き出し状態から下方に回動させて照明光を発光する発光面を被写体に対向させるＬＥＤパネルと、
を有することを特徴とするストロボ装置。
【請求項３】
カメラのアクセサリーシューに取り付けられるストロボ光発光用のストロボ本体と、
ストロボ本体の上面前端部に設けた一対の軸支部により一端両側を回動可能に軸支し、前記ストロボ本体の上面に添着させる収納状態と、前記ストロボ本体の発光面に添着し照明光を発光する発光面を被写体に対向させる使用状態とにわたって変位させるＬＥＤパネルと、
を有することを特徴とするストロボ装置。
【請求項４】
カメラのアクセサリーシューに取り付けられるとともに、バウンス回動可能なストロボ光発光用のストロボ本体と、
このストロボ本体の下面に添着され、ストロボ本体のバウンス回動状態で照明光を発光する発光面を被写体に対向させるＬＥＤパネルと、
を有することを特徴とするストロボ装置。
【発明の詳細な説明】
【技術分野】
【０００１】
本発明はストロボ装置に関し、例えば、被写体の動画撮影等を行うデジタルカメラ等に用いて好適なストロボ装置に関するものである。
【背景技術】
【０００２】
例えば、動画撮影機能を有するデジタルカメラと、外付けのストロボ装置とを組み合わせて被写体の撮影を行う場合、静止画撮影の場合にはシャッタ動作に連動させてストロボ装置を動作させ瞬間的にストロボ光を被写体に照射する通常の撮影を実行することで良好な画質の静止画像を得ることができる。
【０００３】
しかし、例えば夕暮れ時や暗い室内等の自然光が乏しい撮影条件下で被写体の撮影を行う場合、通常のストロボ装置を使用しただけでは所望の画像（動画像又は静止画像）を得ることが困難になる。
【０００４】
ところが、被写体に向けてストロボ光を照射するストロボ装置本体に、被写体に向けて照明光を照射するＬＥＤ（発光ダイオード）パネルを組み合わせたようなストロボ装置は見当たらないのが現状である。
【０００５】
特許文献１には、外付けストロボ装置の側面、下面にＬＥＤを用いた照明光発光部を設け、カメラ本体の撮影レンズ設定ダイヤルや撮影設定操作部を照明するように構成したカメラアクセサリが提案されている。
【０００６】
しかし、特許文献１の場合も、被写体に向けて照明光を照射するＬＥＤパネルをストロボ装置に組み合わせたものではない。
【特許文献１】特開２００７−１３３３１６号公報
【発明の開示】
【発明が解決しようとする課題】
【０００７】
本発明が解決しようとする問題点は、単一の筺体構成で、瞬間的なストロボ光に加えて被写体照明用の照明光をも併せて照射でき、又は、瞬間的なストロボ光に替えて被写体照明用の照明光のみを照射できるようなストロボ装置が存在しない点である。
【課題を解決するための手段】
【０００８】
本発明に係るストロボ装置は、カメラのアクセサリーシューに取り付けられるストロボ光発光用のストロボ本体と、このストロボ本体に搭載した照明光を発光するＬＥＤパネルと、を有することを最も主要な特徴とする。
【発明の効果】
【０００９】
請求項１記載の発明によれば、ストロボ光発光用のストロボ本体と、このストロボ本体に搭載した照明光を発光するＬＥＤパネルとを有する構成としているので、単一の筺体構成で、被写体に向けてストロボ光、照明光の双方を照射でき、自然光が乏しい撮影条件下での被写体撮影に好適なストロボ装置を提供することができる。
【００１０】
請求項２記載の発明によれば、ストロボ光発光用のストロボ本体と、このストロボ本体の下部に挿入、引き出し可能に収納するとともに、引き出し状態から下方に回動させて照明光を発光する発光面を被写体に対向させるＬＥＤパネルとを有する構成としたことにより、単一の筺体構成で、被写体に向けて照明光を照射つつストロボ光により静止画を撮影したり、被写体に向けて照明光を照射して動画を撮影したり、被写体に向けてストロボ光のみを照射して被写体撮影を行ったりという多様な撮影態様を実現でき自然光が乏しい撮影条件下での被写体撮影に好適であり、さらにＬＥＤパネルの不使用時の取り扱い性も良好なストロボ装置を提供することができる。
【００１１】
請求項３記載の発明によれば、ストロボ光発光用のストロボ本体に対し、その上面に添着させる収納状態と、前記ストロボ本体の発光面に添着し照明光を発光する発光面を被写体に対向させる使用状態とにわたって変位させるＬＥＤパネルを組み合わせているので、単一の筺体構成で、使用状態においてＬＥＤパネルから被写体に向けて照明光を照射しつつ動画撮影等の被写体撮影を実行でき自然光が乏しい撮影条件下での被写体撮影に好適であり、さらにＬＥＤパネルの不使用時の取り扱い性も良好なストロボ装置を提供することができる。
【００１２】
請求項４記載の発明によれば、バウンス回動可能なストロボ光発光用のストロボ本体に、このストロボ本体の下面に添着され、ストロボ本体のバウンス回動状態で照明光を発光する発光面を被写体に対向させるＬＥＤパネルを組み合わせているので、単一の筺体構成で、バウンス状態での被写体撮影を実行できることに加え、ＬＥＤパネルから被写体に向けて照明光を照射つつバウンス状態での被写体撮影を実行し、又は、ＬＥＤパネルのみから被写体に向けて照明光を照射しつつ動画撮影を実行するという多様な撮影態様を実現でき自然光が乏しい撮影条件下での被写体撮影に好適な得るストロボ装置を提供することができる。
【発明を実施するための最良の形態】
【００１３】
本発明は、単一の筺体構成で、瞬間的なストロボ光に加えて被写体照明用の照明光をも併せて照射でき、又は、瞬間的なストロボ光に替えて被写体照明用の照明光のみを照射できるストロボ装置を提供するという目的を有するものである。
【００１４】
本発明のストロボ装置は、カメラのアクセサリーシューに取り付けられるストロボ光発光用のストロボ本体と、このストロボ本体の下部に挿入、引き出し可能に収納するとともに、引き出し状態から下方に回動させて照明光を発光する発光面を被写体に対向させるＬＥＤパネルと、を有する構成により上記目的を実現した。
【実施例】
【００１５】
以下に、本発明の実施例に係るストロボ装置について詳細に説明する。
【００１６】
（実施例１）
本実施例１に係るストロボ装置１について図１乃至図４を参照して説明する。
【００１７】
本実施例１に係るストロボ装置１は、例えばデジタルカメラ等のようなカメラ１０のアクセサリーシューに取り付けられるストロボ光発光用の公知構造のストロボ本体２と、このストロボ本体２の下部に挿入、引き出し可能に収納するとともに、引き出し状態から下方に回動させて発光面１１ａを被写体に対向させ、発光面１１ａに配置した多数のＬＥＤ１２から例えば白色の照明光を発光する平面四角形状のＬＥＤパネル１１と、を有している。
【００１８】
前記ストロボ本体２は、図２にも示すように、発光面３ａからストロボ光を被写体にむけて照射する略直方体状のストロボヘッド部３と、このストロボヘッド部３の下部に配置したシュー取り付け部５を下端側に備える基部４とを有するとともに、後述する図７に示すように、基部４にストロボヘッド部３を例えば水平配置から垂直配置まで９０度回動可能に支持してバウンス撮影を実行し得るように構成している。
【００１９】
前記ＬＥＤパネル１１は、図４に示すように、前記ストロボヘッド部３の下部に一体的に取り付けられるパネル保持ユニット２０に収納されている。
【００２０】
すなわち、パネル保持ユニット２０は、底板部１３、両側片部１４ａ、１４ｂ、後片部１５を具備し、これらにより、上方が開口しＬＥＤパネル１１を挿入、引き出し可能に収納するＬＥＤパネル収納室１６を形成している。
【００２１】
そして、両側片部１４ａ、１４ｂの上端面を前記ストロボヘッド部３の下面に例えば接着等の手法で取り付けることで前記ストロボヘッド部３と一体化するようになっている。
【００２２】
また、底板部１３の図４における手前側は、両側片部１４ａ、１４ｂよりも短寸法に形成し、これによりＬＥＤパネル１１用の回動空間部１７を形成している。
【００２３】
さらに、前記両側片部１４ａ、１４ｂの回動空間部１７に臨む各側面には、図示しないが両側片部１４ａ、１４ｂ内に埋設したバネにより回動空間部１７側に付勢された出没ピン１８を対向配置に設けている。
【００２４】
一方、前記ＬＥＤパネル１１の後端側の両側面には、図４に示すように、前記出没ピン１８が没入する係合凹部１１ｂが設けられ、ＬＥＤパネル１１をＬＥＤパネル収納室１６から手前に引き出したとき、前記各出没ピン１８が各係合凹部１１ｂに没入し、これにより、前記ＬＥＤパネル１１を回動可能に軸支し、図２に示すように、ＬＥＤパネル１１を引き出し状態から垂直下方に垂れ下がるように回動させて発光面１１ａを被写体に対向させるように構成している。
【００２５】
上述したパネル保持ユニット２０を使用したＬＥＤパネル１１の収納構造は一例であり、この他にも種々の収納構造を採用し得ることはもちろんである。
【００２６】
尚、図３は前記ＬＥＤパネル１１をＬＥＤパネル収納室１６に押し込み収納した状態を示すものである。
【００２７】
本実施例１に係るストロボ装置１によれば、ストロボ光発光用のストロボ本体２と、このストロボ本体２の下部と一体化したパネル保持ユニット２０とを備え、パネル保持ユニット２０によりＬＥＤパネル１１を挿入、引き出し可能に収納するとともに、引き出し状態から下方に回動させて照明光を発光する発光面１１ａを被写体に対向させるようにしたものである。
【００２８】
従って、全体として単一の筺体構成で、ＬＥＤパネル１１から被写体に向けて照明光を照射つつストロボ光により静止画を撮影したり、被写体に向けて照明光を照射して動画を撮影したり、被写体に向けてストロボ光のみを照射して被写体撮影を行ったりという多様な撮影態様を実現でき、自然光が乏しい撮影条件下での被写体撮影に好適なストロボ装置１を提供することができる。
【００２９】
また、前記ＬＥＤパネル１１をＬＥＤパネル収納室１６に押し込み、外部に突出することなく収納できるので、ＬＥＤパネル１１の不使用時の取り扱い性も良好となる。
【００３０】
（実施例２）
本実施例２に係るストロボ装置１Ａについて図５、図６を参照して説明する。尚、本実施例２に係るストロボ装置１Ａにおいて、実施例１に係るストロボ装置１の場合と同一要素には同一符号を付して示す。
【００３１】
本実施例２に係るストロボ装置１Ａは、発光面３ａからストロボ光を被写体にむけて照射する略直方体状のストロボヘッド部３と、このストロボヘッド部３の下部に配置したシュー取り付け部５を下端側に備える基部４とを具備するストロボ本体２と、前記ストロボヘッド部３の上面前端部に設けた一対の軸支部２１、２１により一端両側を回動可能に軸支し、前記ストロボ本体２の上面に添着させる図５に示す収納状態と、前記ストロボヘッド部３の発光面３ａに添着し照明光を発光する発光面１１ａを被写体に対向させる図６に示す使用状態とにわたって変位させる実施例１の場合と同様な構成のＬＥＤパネル１１と、を有している。
【００３２】
本実施例２に係るストロボ装置１Ａによれば、全体として単一の筺体構成で、ストロボ本体を構成するストロボヘッド部３に対し、その上面に添着させる収納状態と、ストロボヘッド部３の発光面に添着し照明光を発光する発光面を被写体に対向させる使用状態とにわたって変位させるＬＥＤパネル１１を組み合わせているので、単一の筺体構成で、使用状態においてＬＥＤパネル１１から被写体に向けて照明光を照射つつ動画撮影等の被写体撮影を実行でき、自然光が乏しい撮影条件下での被写体撮影に好適なストロボ装置１を提供することができる。
【００３３】
また、前記ＬＥＤパネル１１の不使用時には、このＬＥＤパネル１１をストロボヘッド部３の上面に添着させる構成としているので、ＬＥＤパネル１１の不使用時の取り扱い性も良好となる。
【００３４】
（実施例３）
本実施例３に係るストロボ装置１Ｂについて図７、図８を参照して説明する。
【００３５】
本実施例３に係るストロボ装置１Ｂは、ストロボ本体２を構成するストロボヘッド部３の下面に、図７に示すように既述した場合と同様な構造のＬＥＤパネル１１を接着等により一体的に添着し、ストロボヘッド部３の９０度のバウンス回動状態で照明光を発光する発光面１１ａを被写体に対向させるように構成したものである。
【００３６】
本実施例３に係るストロボ装置１Ｂによれば、全体として単一の筺体構成で、ストロボヘッド部３のバウンス状態でのストロボ光による被写体撮影を実行できることに加え、ＬＥＤパネル１１から被写体に向けて照明光を照射つつバウンス状態での被写体撮影を実行し、又は、ＬＥＤパネル１１のみから被写体に向けて照明光を照射しつつ動画撮影を実行するという多様な撮影態様を実現でき、自然光が乏しい撮影条件下での被写体撮影に好適なストロボ装置１を提供することができる。
【００３７】
また、前記ＬＥＤパネル１１の不使用時には、図８に示すように、ストロボヘッド部３を定常位置に戻すことでＬＥＤパネル１１がストロボヘッド部３の下面側に隠れた状態となるので、ストロボヘッド部３からのストロボ光による通常のストロボ撮影を何等支障なく実行することができる。
【産業上の利用可能性】
【００３８】
本発明にかかるストロボ装置は、大型サイズ、小型サイズを問わず種々のデジタルカメラ用として適用でき、またスチールカメラやビデオカメラ用としても応用可能である。
【図面の簡単な説明】
【００３９】
【図１】本発明の実施例１に係るストロボ装置のカメラへの取り付け状態を示す概略斜視図である。
【図２】本実施例１に係るストロボ装置のＬＥＤパネル垂れ下げ状態の概略斜視図である。
【図３】本実施例１に係るストロボ装置のＬＥＤパネル収納状態の概略斜視図である。
【図４】本実施例１に係るストロボ装置におけるパネル保持ユニット及びＬＥＤパネルの構造を示す分解斜視図である。
【図５】本発明の実施例２に係るストロボ装置のＬＥＤパネル収納状態の概略斜視図である。
【図６】本実施例２に係るストロボ装置のＬＥＤパネル使用状態の概略斜視図である。
【図７】本発明の実施例３に係るストロボ装置のＬＥＤパネル使用状態の概略斜視図である。
【図８】本発明の実施例３に係るストロボ装置の定常状態の概略斜視図である。
【符号の説明】
【００４０】
１    ストロボ装置
１Ａ  ストロボ装置
１Ｂ  ストロボ装置
２    ストロボ本体
３    ストロボヘッド部
３ａ  発光面
４    基部
５    シュー取り付け部
１０    カメラ
１１    ＬＥＤパネル
１１ａ  発光面
１１ｂ  係合凹部
１２    ＬＥＤ
１３    底板部
１４ａ  側片部
１４ｂ  側片部
１５    後片部
１６    パネル収納室
１７    回動空間部
１８    出没ピン
２０    パネル保持ユニット
２１    軸支部
【図１】
2010145760.tif 000003
【図２】
2010145760.tif 000004
【図３】
2010145760.tif 000005
【図４】
2010145760.tif 000006
【図５】
2010145760.tif 000007
【図６】
2010145760.tif 000008
【図７】
2010145760.tif 000009
【図８】
2010145760.tif 000010